(57)【要約】【課題】動作モードの切り替え操作に対して良好な応答性を得る。【解決手段】信号処理部２１は、映像表示を行う表示部２２を駆動するための表示駆動信号ＲＶを生成する。電源部３０は、信号処理部２１と表示部２２に対して電力供給を行う。ユーザインタフェース部４１は、ユーザ操作に応じた操作信号ＰＳを生成する。制御部４０は、動作モードとして、信号処理部２１と表示部２２に対する電力供給を停止して非動作状態とする待機モードと、信号処理部２１に対する電力供給を行い表示部２２に対する電力供給を停止して、信号処理部２１のみを動作状態とする出画待機モードと、信号処理部２１と表示部２２に対する電力供給を行い動作状態とする出画モードを設ける。操作信号ＰＳに基づいて、待機モードあるいは出画待機モードから出画モードへの切り替え、または出画モードから出画待機モードへの切り替えを行う。【選択図】        図１
2007312239.tif 000002
【特許請求の範囲】
【請求項１】
映像表示を行う表示部と、
前記表示部を駆動するための表示駆動信号を生成する信号処理部と、
前記表示部と前記信号処理部に対して電力供給を行う電源部と、
ユーザ操作に応じた操作信号を生成するユーザインタフェース部と、
前記操作信号に基づいて前記表示部と前記信号処理部と前記電源部の動作を制御する制御部とを有し、
前記制御部は、動作モードとして、前記表示部と前記信号処理部に対する電力供給を停止して前記表示部と前記信号処理部を非動作状態とする待機モードと、前記信号処理部に対する電力供給を行い前記表示部に対する電力供給を停止して、前記信号処理部を動作状態とする出画待機モードと、前記表示部と前記信号処理部に対する電力供給を行い、前記表示部と前記信号処理部を動作状態とする出画モードを設けるものとして、前記操作信号に基づいて、前記待機モードあるいは前記出画待機モードから前記出画モードへの切り替え、または前記出画モードから前記出画待機モードへの切り替えを行う
ことを特徴とする映像表示装置。
【請求項２】
周囲環境の変化を検出するセンサを設け、
前記制御部は、前記センサからのセンサ信号に基づいて、前記待機モードから前記出画待機モードへの切り替えを行う
ことを特徴とする請求項１記載の映像表示装置。
【請求項３】
前記センサは、人感センサおよび／または照度センサである
ことを特徴とする請求項２記載の映像表示装置。
【請求項４】
時刻情報を生成する計時部を設け、
前記制御部は、前記時刻情報に基づき、動作モードが前記出画待機モードとされてから所定時間が経過したことを判別したとき、前記出画待機モードから前記待機モードへの切り替えを行う
ことを特徴とする請求項１記載の映像表示装置。
【請求項５】
映像表示を行う表示部と該表示部を駆動するための表示駆動信号を生成する信号処理部に対する電力供給を停止して、前記表示部と前記信号処理部を非動作状態とする待機モードと、
前記信号処理部に対する電力供給を行い、前記表示部に対する電力供給を停止して、前記信号処理部を動作状態として前記表示部を非動作状態とする出画待機モードと、
前記表示部と前記信号処理部に対する電力供給を行い、前記表示部と前記信号処理部を動作状態とする出画モードを設け、
ユーザ操作に応じた操作信号に基づいて、前記待機モードあるいは前記出画待機モードから前記出画モードへの切り替え、または前記出画モードから前記出画待機モードへの切り替えを行う
ことを特徴とする映像表示制御方法。
【発明の詳細な説明】
【技術分野】
【０００１】
この発明は映像表示装置および映像表示制御方法に関する。詳しくは、表示部と該表示部を駆動するための表示駆動信号を生成する信号処理部を非動作状態とする待機モードと、表示部を非動作状態で信号処理部を動作状態とする出画待機モードと、表示部と信号処理部を動作状態とする出画モードを設けるものとして、ユーザ操作に応じて、待機モードあるいは出画待機モードから出画モードへの切り替え、または出画モードから出画待機モードへの切り替えを行うことにより、動作モードの切り替え操作に対して良好な応答性を得られるようにするものである。
【背景技術】
【０００２】
映像表示装置、例えばテレビ受信装置では、映像や音声の連続したデータを効率よく処理できるように、リアルタイムＯＳ(Operating System)が用いられている。また、映像表示装置には、種々のハードウェアが用いられており、このハードウェアを駆動させるためのデバイスドライバ等が記憶されている。さらに、ディジタル放送等では、ＥＰＧ（Electronic Program Guide）と呼ばれるテレビ番組表の提供が行われており、このテレビ番組表を記憶しておくことで、番組の検索や番組内容の確認および番組録画予約などを容易に行うことができるようになされている。
【０００３】
また、映像表示装置では、動作モードとして、受信信号の処理や出画処理を終了してユーザ操作の受付のみを行うことで電力消費を削減する待機モードと、受信信号の処理や出画処理を行いユーザの選択した番組の映像を表示する出画モードが設けられている。ここで、放送番組等の視聴を開始するため、動作モードを待機モードから出画モードに切り替えた場合、受信信号の処理や出画処理等を行うために、リアルタイムＯＳや種々のデバイスドライバおよびテレビ番組表の情報などを読み込む必要がある。したがって、動作モードを待機モードから出画モードに切り替えても、出画までに時間を要してしまう。そこで、特許文献１の発明では、操作履歴から電源投入予測時刻を算出して、この電源投入予測時刻となったとき、ディジタル放送受信モジュールの電源を投入しておくことで、速やかに出画を可能とすることが開示されている。
【０００４】
【特許文献１】特開２００５ー１９１８１５号公報
【発明の開示】
【発明が解決しようとする課題】
【０００５】
ところで、映像表示装置において、視聴終了操作が行われて動作モードが出画モードから待機モードに切り替えられると、必要な情報がメモリ等に記憶されたのち、受信信号の処理や出画処理等を行う処理部に対しての電力供給が終了される。このため、待機モードに切り替えられてしまうと、待機モードから出画モードに切り替えられる度にソフトウェアや情報などを読み込まなければならない。したがって、例えば動作モードを待機モードに切り替えた直後に出画モードに切り替えても、速やかに出画が行われないため、良好な応答性を得ることができない。
【０００６】
そこで、この発明では、動作モードの切り替え操作に対して良好な応答性を得ることができる映像表示装置および映像表示制御方法を提供するものである。
【課題を解決するための手段】
【０００７】
この発明の概念は、映像表示を行う表示部と、表示部を駆動するための表示駆動信号を生成する信号処理部と、表示部と信号処理部に対して電力供給を行う電源部と、ユーザ操作に応じた操作信号を生成するユーザインタフェース部と、操作信号に基づいて表示部と信号処理部と電源部の動作を制御する制御部とを有し、制御部は、動作モードとして、表示部と信号処理部に対する電力供給を停止して表示部と信号処理部を非動作状態とする待機モードと、信号処理部に対する電力供給を行い表示部に対する電力供給を停止して、信号処理部を動作状態とする出画待機モードと、表示部と信号処理部に対する電力供給を行い、表示部と信号処理部を動作状態とする出画モードを設けるものとして、操作信号に基づいて、待機モードあるいは出画待機モードから出画モードへの切り替え、または出画モードから出画待機モードへの切り替えを行う映像表示装置にある。
【０００８】
また、映像表示を行う表示部と表示部を駆動するための表示駆動信号を生成する信号処理部に対する電力供給を停止して表示部と信号処理部を非動作状態とする待機モードと、信号処理部に対する電力供給を行い、表示部に対する電力供給を停止して、信号処理部を動作状態とする出画待機モードと、表示部と信号処理部に対する電力供給を行い、表示部と信号処理部を動作状態とする出画モードを設けるものとして、ユーザ操作に応じた操作信号に基づいて、待機モードあるいは出画待機モードから出画モードへの切り替え、または出画モードから出画待機モードへの切り替えを行う映像表示制御方法にある。
【０００９】
この発明において、待機モードとは、いわゆるスタンバイモードであり、映像表示を行う表示部と、表示部を駆動するために例えばチューナ部やデコーダ部等を用いて構成された信号処理部に対する電力供給を停止して、表示部と信号処理部を非動作状態とすることで消費電力を少なくした動作モードである。出画モードとは、いわゆる通常モードであり、表示部と信号処理部に対する電力供給を行い表示部と信号処理部を動作状態とすることで映像表示を行う動作モードである。さらに、ソフトウェアや種々の情報などが読み込まれた状態を保持するため信号処理部を動作状態として、映像表示を行わないため表示部を非動作状態とする出画待機モードを設ける。ここで、ユーザ操作に応じた操作信号に基づき、待機モードあるいは出画待機モードから出画モードへの切り替え、または出画モードから出画待機モードへの切り替えを行う。また、周囲環境の変化を検出するセンサとして例えば照度センサや人感センサを用いるものとして、このセンサからのセンサ信号に基づいて、待機モードから出画待機モードへの切り替えを行う。さらに、出画待機モードとされてから所定時間が経過したときには、出画待機モードから待機モードへの切り替えを行う。
【発明の効果】
【００１０】
この発明によれば、待機モードと出画待機モードと出画モードが設けられて、ユーザ操作に応じて、待機モードあるいは出画待機モードから出画モードへの切り替え、または出画モードから出画待機モードへの切り替えが行われる。このため、視聴動作を終了する操作が行われた直後に視聴動作を開始する操作が行われても、動作モードが出画待機モードとされて、表示部を駆動するための表示駆動信号を生成する信号処理部が動作状態となっていることから、ソフトウェアや情報などを読み込む必要がなく、速やかに出画が行われるので、良好な応答性を得ることができる。また、出画までの待ち時間を軽減できることから、利便性を高められる。
【発明を実施するための最良の形態】
【００１１】
以下、図を参照しながら、この発明の実施の一形態について説明する。図１は映像表示装置の構成を示している。
【００１２】
アンテナ１１で放送波を受信して得られた受信信号ＳRFは、映像表示装置２０の信号処理部２１に供給される。信号処理部２１のチューナ部２１１は、受信信号ＳRFから所望の放送コンテンツの周波数を選局して、得られた信号に対して復調処理や誤り訂正処理およびデインタリーブ処理を行い、トランスポートストリームＴＳを生成してデコーダ部２１２に供給する。
【００１３】
デコーダ部２１２は、トランスポートストリームＴＳから目的の番組の圧縮データを分離する。また、デコーダ部２１２は、分離した圧縮データの伸張処理等を行い、得られた映像信号ＤＶを表示駆動部２１３、得られた音声信号ＤＡを音声出力処理部２１４にそれぞれ供給する。さらに、デコーダ部２１２は、番組配列情報やデータ放送コンテンツのデータを分離して制御部４０に供給する。
【００１４】
表示駆動部２１３は、デコーダ部２１２から供給された映像信号ＤＶに基づいて表示駆動信号ＲＶを生成して、この表示駆動信号ＲＶによって表示部２２を駆動する。また、表示駆動部２１３は、後述する制御部４０からオンスクリーン制御信号ＤＳＣが供給されるとき、映像信号ＤＶに基づく動画像とオンスクリーン制御信号ＤＳＣに基づく文字や図形等の画像を合成して表示するように表示駆動信号ＲＶを生成する。
【００１５】
音声出力処理部２１４は、デコーダ部２１２から供給された音声信号ＤＡをアナログの音声信号に変換したのち、所望の信号レベルに増幅して音声出力信号ＳＡoutとしてスピーカ２３に供給する。
【００１６】
電源部３０は、制御部４０に対して電力供給を行う。また電源部３０は、制御部４０から供給された制御信号ＣＰに基づいて、信号処理部２１や表示部２２に対する電力供給を行う。
【００１７】
制御部４０には、ユーザ操作に応じた操作信号ＰＳを生成するユーザインタフェース部４１が接続されている。ユーザインタフェース部４１は、操作キーやリモートコントロール装置５０から送信された信号を受信するリモートコントロール信号受信部（図示せず）で構成されている。操作キーとしては、動作モード切り替えを行うための電源キー、チャネル切り替えを行うためのチャネルキー、音量調整を行うためのボリュームキーなどが設けられており、ユーザインタフェース部４１は、種々の操作キーに対するキー操作に応じた操作信号ＰＳを生成して制御部４０に供給する。あるいは、リモートコントロール装置から送信された信号を受信して、リモートコントロール装置に設けられている上述のような操作キーに対するキー操作に応じた操作信号ＰＳを制御部４０に供給する。
【００１８】
また、制御部４０には、センサ４２や時刻を示す計時部４３が接続されている。センサ４２は、周囲環境の変化を検出するためのものであり、例えば映像表示装置２０が設置されている場所の明るさを示すセンサ信号の生成、あるいは人の接近を示すセンサ信号の生成を行い、生成したセンサ信号ＨＳを制御部４０に供給する。計時部４３は現在の時刻を示す時刻情報ＴＭを生成して制御部４０に供給する。
【００１９】
制御部４０は、マイクロコンピュータやメモリ等を用いて構成されており、操作信号ＰＳに基づいた制御信号（図示せず）を生成して各部に供給することで、映像表示装置２０の動作モードの切り替えや、ユーザ操作に応じた動作となるように制御する。また、制御部４０は、ユーザによって設定された種々の設定情報や信号処理部２１から供給された番組配列情報やデータ放送コンテンツのデータを記憶する。制御部４０は、この記憶した設定情報に基づいて映像表示装置２０の動作設定等を行う。制御部４０は、番組配列情報やデータ放送コンテンツのデータに基づいてオンスクリーン制御信号ＤＳＣを生成することで、データ放送コンテンツの表示等を可能とする。
【００２０】
さらに、制御部４０は、動作モードとして、待機モードと出画待機モードと出画モードを設け、操作信号ＰＳに基づいて動作モードの切り替えを行う。待機モードは、いわゆるスタンバイモードであり、信号処理部２１と表示部２２に対する電力供給を停止して、信号処理部２１と表示部２２を非動作状態とする動作モードである。出画待機モードは、信号処理部２１に対する電力供給を行い動作状態として、ソフトウェアや情報などが読み込まれた状態とし、表示部２２に対する電力供給を停止して非動作状態とすることで映像表示を行わないものとした動作モードである。また、出画モードは、いわゆる通常モードであり、信号処理部２１と表示部２２に対する電力供給を行い、信号処理部２１と表示部２２を動作状態とする動作モードである。
【００２１】
図２は、映像表示装置の動作を示すフローチャートである。なお、以下の説明では、最初の動作モードが待機モードに設定されているものとする。
【００２２】
ステップＳＴ１で制御部４０は、ユーザインタフェース部４１あるいはリモートコントロール装置５０の電源キーが操作されたか否かを操作信号ＰＳに基づいて判別する。ここで、制御部４０は、電源キーが操作されたと判別したときステップＳＴ２に進み、電源キーが操作されたと判別されないときステップＳＴ１に戻る。
【００２３】
ステップＳＴ２で制御部４０は出画準備処理を行いステップＳＴ３に進む。この出画準備処理において、制御部４０は、制御信号ＣＰによって電源部３０の動作を制御して、信号処理部２１に対する電力供給を行う。また、制御部４０は、リアルタイムＯＳや種々のデバイスドライバおよびテレビ番組表の情報などの読み込みを行い、信号処理部２１の動作を開始させる。例えば、チューナ部２１１では、待機モードに切り替えられたときの視聴チャネルの選局を開始する。また、デコーダ部２１２は、選局されたチャネルで放送されている番組の映像や音声の信号を抽出して復号処理を行う。表示駆動部２１３は、映像信号ＤＶに応じた表示駆動信号ＲＶを出力できる状態として待機する（以下、この待機状態を「映像ミュート」という）。なお、出画準備処理では音声のミュートも行う。すなわち、音声出力処理部２１４は、音声信号ＤＡに応じた音声出力信号ＳＡoutを出力できる状態として待機する（以下、この待機状態を「音声ミュート」という）。
【００２４】
ステップＳＴ３で制御部４０は出画処理を行いステップＳＴ１１に進む。制御部４０は、制御信号ＣＰによって電源部３０の動作を制御して、表示部２２に対する電力供給を行う。その後、制御部４０は、表示駆動部２１３の映像ミュートを解除して、映像信号ＤＶに応じた表示駆動信号ＲＶを表示部２２に供給させることで、表示部２２の画面上に映像を表示させる。なお、出画処理では音声の出力も行う。すなわち、制御部４０は、音声出力処理部２１４の音声ミュートを解除して、音声信号ＤＡに応じた音声出力信号ＳＡoutをスピーカ２３に供給させることで、スピーカ２３から音声を出力させる。
【００２５】
ステップＳＴ１１で制御部４０は、ユーザインタフェース部４１あるいはリモートコントロール装置５０の電源キーが操作されたか否かを操作信号ＰＳに基づいて判別する。ここで、制御部４０は、電源キーが操作されたと判別したときステップＳＴ１２に進み、電源キーが操作されたと判別されないときステップＳＴ１１に戻る。
【００２６】
ステップＳＴ１２で制御部４０は出画停止処理を行いステップＳＴ１３に進む。制御部４０は、表示駆動部２１３を映像ミュートの状態に設定する。また、制御部４０は、制御信号ＣＰによって電源部３０の動作を制御して、表示部２２に対する電力供給を停止させる。なお、出画停止処理では音声の出力も停止させる。すなわち、制御部４０は、音声出力処理部２１４を音声ミュートの状態に設定する。このように、制御部４０は出画停止処理を行うことで、動作モードを出画モードから出画待機モードに切り替える。
【００２７】
ステップＳＴ１３で制御部４０は、出画停止処理が行われてから所定時間が経過したか否かを判別する。すなわち、制御部４０は、動作モードが出画モードから出画待機モードに切り替えられてから所定時間が経過したか否かを判別する。ここで、所定時間は出画待機モードとされている時間（出画待機モード保持時間）を示すものである。出画待機モード保持時間は、予め設定しておくものとしてもよく、ユーザが自由に設定できるものとしてもよい。制御部４０は、所定時間が経過していると判別されないときはステップＳＴ１４に進む。また、所定時間が経過していると判別されたときはステップＳＴ１５に進む。  ステップＳＴ１４で制御部４０は、ステップＳＴ１やステップＳＴ１１と同様に、電源キーが操作されたか否かを操作信号ＰＳに基づいて判別する。ここで、制御部４０は、電源キーが操作されたと判別したときステップＳＴ３に戻り、電源キーが操作されたと判別されないときステップＳＴ１３に戻る。
【００２８】
ステップＳＴ１３からステップＳＴ１５に進むと、制御部４０は終了処理を行う。この終了処理において、制御部４０は、必要とされる情報を不揮発性のメモリ等に記憶させる。また、制御部４０は、信号処理部２１の各部の動作を停止させる。その後、制御部４０は、制御信号ＣＰによって電源部３０の動作を制御して、信号処理部２１に対する電力供給を停止させる。このように、制御部４０は終了処理を行うことで、動作モードを出画待機モードから待機モードに切り替える。
【００２９】
このように、制御部４０は、動作モードが出画モードとされているときに電源キーが操作された場合、動作モードを出画待機モードとする。出画待機モードでは、出画準備処理が完了した状態であることから、出画待機モードとされているときに電源キーが操作されると出画開始処理が行われて、表示部２２の画面上に速やかに映像を表示できる。例えば、電源キーを操作して視聴動作を終了した直後に、再度電源キーを操作して視聴動作が再開されても、信号処理部２１が動作状態とされているため、ソフトウェアや情報などを読み込む必要がなく、速やかに映像が表示されることから、良好な応答性を得ることができる。また、出画までの待ち時間が軽減されるので利便性を高められる。
【００３０】
また、制御部４０は、動作モードを出画待機モードとしてから所定時間が経過したとき待機モードに切り替える。このように、動作モードが出画待機モードから自動的に待機モードに切り替えられるので、ユーザに手間をかけさせることなく消費電力を抑えることができる。
【００３１】
ところで、図２に示す動作は、出画モードが終了された直後に出画モードに切り替える操作が行われても、速やかに映像表示を行うことができるものであるが、センサ４２からのセンサ信号ＨＳを用いるものとすれば、上述の場合に限らず、他の場合にも速やかに映像表示を行うことができる。
【００３２】
図３は、映像表示装置の他の動作を示すフローチャートである。なお、この場合も、最初の動作モードが待機モードに設定されているものとする。
【００３３】
ステップＳＴ２１で制御部４０は、ユーザインタフェース部４１あるいはリモートコントロール装置５０の電源キーが操作されたか否かを操作信号ＰＳに基づいて判別する。ここで、制御部４０は、電源キーが操作されたと判別されないときステップＳＴ２２に進み、電源キーが操作されたと判別したときステップＳＴ２６に進む。
【００３４】
ステップＳＴ２２で制御部４０はセンサ信号ＨＳの読み込みを行いステップＳＴ２３に進む。ステップＳＴ２３で制御部４０は、センサ信号ＨＳに基づき、準備開始条件が満たされたか否かを判別する。例えば、センサ４２として照度センサが用いられており、センサ信号ＨＳとして映像表示装置が設けられている環境の明るさが示される場合、制御部４０はセンサ信号ＨＳが所定の明るさよりも明るいことを示しているとき、準備開始条件が満たされたものとしてステップＳＴ２４に進み、センサ信号ＨＳが所定の明るさよりも明るいことを示していないときはステップＳＴ２１に戻る。また、センサ４２として人感センサが用いられており、センサ信号ＨＳとして人の接近が示される場合、制御部４０はセンサ信号ＨＳによって人が接近したことを示しているとき、準備開始条件が満たされたものとしてステップＳＴ２４に進み、センサ信号ＨＳが人の接近を示していないときはステップＳＴ２１に戻る。また、センサ４２として照度センサと人感センサが用いられているときは、センサ信号ＨＳによって所定の明るさよりも明るいときに人が接近したことを示しているとき、ステップＳＴ２４に進むものとする。
【００３５】
ステップＳＴ２４で制御部４０は、出画準備処理が完了しているか否かを判別する。制御部４０は、出画準備処理が完了して出画待機モードとされていると判別したときにはステップＳＴ２１に戻り、出画準備処理が行われていないと判別したときはステップＳＴ２５に進む。
【００３６】
ステップＳＴ２５で制御部４０は、上述のステップＳＴ２と同様にして出画準備処理を行い、出画準備処理が完了したときステップＳＴ２１に戻る。
【００３７】
ステップＳＴ２１で電源キーが操作されたと判別されてステップＳＴ２６に進むと、制御部４０は、ステップＳＴ２６において、出画準備処理が完了しているか否かを判別する。制御部４０は、出画準備処理が完了して出画待機モードとされていることを判別したときにはステップＳＴ２８に進み、出画準備処理が行われていないと判別したときはステップＳＴ２７に進む。
【００３８】
ステップＳＴ２７で制御部４０は、上述のステップＳＴ２と同様にして出画準備処理を行い、出画準備処理が完了したときステップＳＴ２８に進む。
【００３９】
ステップＳＴ２８で制御部４０は、上述のステップＳＴ３と同様にして出画処理を行ってステップＳＴ３１に進む。
【００４０】
制御部４０は、上述のステップＳＴ１１〜ステップＳＴ１５と同様であるステップＳＴ３１〜ステップＳＴ３５の処理を行う。なお、ステップＳＴ３１〜ステップＳＴ３５は、ステップＳＴ１１〜ステップＳＴ１５と同様であるため説明は省略する。
【００４１】
このようにセンサ信号ＨＳを利用すれば、ユーザが電源キーを操作しなくとも、明るさや人の接近に応じて、自動的に動作モードを待機モードから出画待機モードに切り替えておくことができるので、電源キーを操作して再度出画モードに切り替える場合に限らず、ユーザが電源キーを操作して、最初に映像表示を行わせる場合にも、速やかに表示部２２で映像表示を行うことが可能となり、良好な応答性を得ることができる。
【００４２】
さらに、センサ信号ＨＳを利用して事前に待機モードから出画待機モードに切り替える場合だけでなく、センサ信号ＨＳを利用して出画待機モードから待機モードへの切り替えを制御して、出画待機モードを設けたときの電力消費量を、さらに削減することもできる。例えば、就寝時には再度出画モードに切り替えられる場合が少なく、外出時には再度出画モードに切り替えられる場合がない。また、就寝時や外出時には室内の照明が落とされる場合が多い。したがって、センサ４２として照度センサを用いるものとして、映像表示装置が設けられている場所が暗いときには、出画待機モード保持時間を短くする。このように、センサ４２を利用して出画待機モード保持時間の切り替えを行うものとすれば、再度出画モードに切り替えられる場合が少ないとき、出画待機モード保持時間を短くすることで電力消費量を、さらに削減することが可能となる。
【００４３】
また、センサ信号ＨＳだけでなく時刻情報ＴＭを用いて、待機モードから出画待機モード、あるいは出画待機モードから待機モードへの切り替えを制御することもできる。例えば、時刻情報ＴＭが深夜であることを示しているときには、センサ信号ＨＳによって明るい状態であることか示されている時間が予め設定した時間よりも長くなったときに、待機モードから出画待機モードへの切り替えを行う。このようにすれば、就寝時に照明を一時点灯させたような場合、動作モードが待機モードから出画待機モードに不必要に切り替えられてしまうことを防止できる。
【００４４】
さらに、出画待機モードを設けるか否か、および出画待機モード保持時間等をユーザによって設定可能とすれば、ユーザの好みに応じた動作モード切り替えを行うことができる。また、上述の形態では、放送波を受信して映像表示を行う場合の構成を示したが、ネットワークを介して供給された映像データに基づいて映像表示を行う場合、ネットワークと接続するための通信インタフェース部（図示せず）を信号処理部２１に設けるものとすれば、放送波を受信して映像表示を行う場合と同様に、良好な応答性を得ることができる。
【図面の簡単な説明】
【００４５】
【図１】映像表示装置の構成を示す図である。
【図２】映像表示装置の動作を示すフローチャートである。
【図３】映像表示装置の他の動作を示すフローチャートである。
【符号の説明】
【００４６】
２０・・・映像表示装置、２１・・・信号処理部、２２・・・表示部、２３・・・スピーカ、３０・・・電源部、４０・・・制御部、４１・・・ユーザインタフェース部、４２・・・センサ、４３・・・計時部、５０・・・リモートコントロール装置、２１１・・・チューナ部、２１２・・・デコーダ部、２１３・・・表示駆動部、２１４・・・音声出力処理部
【図１】
2007312239.tif 000003
【図２】
2007312239.tif 000004
【図３】
2007312239.tif 000005